(57)【要約】【解決手段】本発明の一態様は、第１オリフィスを画定する基部と、前記基部に回転可能に連結する密封部材であって、密封位置に配置されたときに前記第１オリフィスを密封するように構成される前記密封部材とを備える蓋を提供する。前記基部及び前記密封部材は、前記密封部材を前記密封位置に着脱可能に保持するように構成される１つ以上の移動止めを含む。本発明のさらに他の態様は、マグと、前記マグと着脱可能に連結するために構成される蓋とを備える容器を提供する。前記蓋は、第１のオリフィスを画定する基部と、前記基部に回転可能に連結する密封部材とを備える。前記密封部材は、密封位置に配置されるときに前記第１オリフィスを密封するように構成される。前記基部及び密封部材は、前記密封部材を前記密封位置に着脱可能に保持するように構成される１つ以上の移動止めを備える。【選択図】図１Ｈ
2014500835.tif 000002
【特許請求の範囲】
【請求項１】
第１オリフィスを画定する基部と、
前記基部に回転可能に連結する密封部材であって、密封位置に配置されたときに前記第１オリフィスを密封するように構成される前記密封部材とを備える蓋であって、
前記基部及び前記密封部材は、前記密封部材を前記密封位置に着脱可能に保持するように構成される１つ以上の移動止めを備える、蓋。
【請求項２】
前記１つ以上の付加的な移動止めは、前記密封部材に配置されるタブを備える、請求項１に記載の蓋。
【請求項３】
前記１つ以上の付加的な移動止めは、前記密封部材に配置されるスロットを備える、請求項１に記載の蓋。
【請求項４】
前記１つ以上の付加的な移動止めは、前記基部に配置されるタブを備える、請求項１に記載の蓋。
【請求項５】
前記１つ以上の付加的な移動止めは、前記基部に配置されるスロットを備える、請求項１に記載の蓋。
【請求項６】
前記基部及び前記密封部材は、前記密封部材を飲用位置に着脱可能に保持するように構成される１つ以上の付加的な移動止めを備える、請求項１に記載の蓋。
【請求項７】
前記１つ以上の付加的な移動止めは、前記密封部材に配置されるタブを備える、請求項６に記載の蓋。
【請求項８】
前記１つ以上の付加的な移動止めは、前記密封部材に配置されるスロットを備える、請求項６に記載の蓋。
【請求項９】
前記１つ以上の付加的な移動止めは、前記基部に配置されるタブを備える、請求項６に記載の蓋。
【請求項１０】
前記１つ以上の付加的な移動止めは、前記基部に配置されるスロットを備える、請求項６に記載の蓋。
【請求項１１】
前記密封部材は回転中心の周りを回転し、前記１つ以上の付加的な移動止めの少なくとも１つは前記回転中心に近接して設置される、請求項６に記載の蓋。
【請求項１２】
前記密封部材は、前記飲用位置に配置されるときに前記基部の表面と実質的に同一の平面上に保持される、請求項６に記載の蓋。
【請求項１３】
前記密封部材は、前記飲用位置に配置されるときに前記基部の表面に対して、２５°以下、２０°以下、１５°以下、１０°以下、及び５°以下からなる群から選択される角度で保持される、請求項６に記載の蓋。
【請求項１４】
前記第１オリフィスは飲み口に形成される、請求項１に記載の蓋。
【請求項１５】
前記１つ以上の移動止めの少なくとも１つは前記飲み口に形成される、請求項１４に記載の蓋。
【請求項１６】
前記密封部材は、前記密封部材が前記密封位置に配置されるときに前記第１オリフィスに挿入するために構成される第１突起を備える、請求項１に記載の蓋。
【請求項１７】
前記第１突起はエラストマーを含む、請求項１６に記載の蓋。
【請求項１８】
前記基部は第２オリフィスを画定し、
前記密封部材は、前記密封部材が前記密封位置に配置されるときに前記第２オリフィスに押し付けるように構成される第２突起を備える、請求項１に記載の蓋。
【請求項１９】
基部と密封部材とを備える蓋であって、
前記基部は、
飲み口と、
前記飲み口に形成される第１オリフィスと、
第２オリフィスとを備え、
前記密封部材は前記基部に回転可能に連結し、前記密封部材は、
前記密封部材が密封位置に配置されるときに前記第１オリフィスに挿入するために構成される第１エラスラマー突起と、
前記密封部材が前記密封位置に配置されるときに前記第２オリフィスに押し付けるように構成される第２エラスラマー突起とを備え、
前記基部及び前記密封部材は、前記密封部材を前記密封位置に着脱可能に保持するように構成される１つ以上の移動止めを備え、前記１つ以上の移動止めは、前記飲み口にスロットを、前記密封部材に第１タブを備え、
前記基部及び前記密封部材は、前記密封部材を飲用位置に着脱可能に保持するように構成される１つ以上の付加的な移動止めを備え、前記１つ以上の付加的な移動止めは、前記密封部材に第２タブを、前記基部に第３タブを備える、蓋。
【請求項２０】
マグと、
前記マグと着脱可能に連結するために構成される蓋とを備える容器であって、
前記蓋は、
第１のオリフィスを画定する基部と、
前記基部に回転可能に連結する密封部材であって、密封位置に配置されるときに前記第１オリフィスを密封するように構成される前記密封部材とを備え、
前記基部及び前記密封部材は、前記密封部材を前記密封位置に着脱可能に保持するように構成される１つ以上の移動止めを備える、容器。
【請求項２１】
前記マグは両面兼用のスリーブを備える、請求項２０に記載の容器。
【発明の詳細な説明】
【技術分野】
【０００１】
本願は、２０１０年１１月２４日に出願した米国特許出願番号１２／９５３，７６７の優先権を主張する。当該出願の明細書の全内容を本明細書に援用する。
【背景技術】
【０００２】
消費者は使い捨てのコーヒーカップに関する環境への影響を低減しようとしており、再利用可能なマグがますます普及している。このようなマグは非常に熱い液体を扱い、しばしば自動車または公共輸送機関で運ばれる。既存の多くの再利用可能なマグは漏れやすく、特に、マグが老朽化したとき、及び／又は高い蒸気圧を生み出す熱い液体を保持するときに漏れやすい。
【発明の概要】
【発明が解決しようとする課題】
【０００３】
従って、好ましくは漏れ防止型の改良された蓋及び容器が必要である。
【課題を解決するための手段】
【０００４】
本発明の一態様は、第１オリフィスを画定する基部と、前記基部に回転可能に連結する密封部材であって、密封位置に配置されたときに前記第１オリフィスを密封するように構成される前記密封部材とを備える蓋を提供する。前記基部及び前記密封部材は、前記密封部材を前記密封位置に着脱可能に保持するように構成される１つ以上の移動止めを含む。
【０００５】
本発明のこの態様は、様々な実施形態を有することができる。前記蓋は、前記密封部材に配置されるタブを備える１つ以上の移動止めを備えることができる。前記１つ以上の移動止めは、前記密封部材に配置されるスロットを備えることができる。前記１つ以上の移動止めは、前記基部に配置されるタブを備えることができる。前記１つ以上の移動止めは、前記基部に配置されるスロットを備えることができる。
【０００６】
前記基部及び密封部材は、前記密封部材を飲用位置に着脱可能に保持するように構成される１つ以上の付加的な移動止めを備えることができる。前記１つ以上の付加的な移動止めは、前記密封部材に配置されるタブを備えることができる。前記１つ以上の付加的な移動止めは、前記密封部材に配置されるスロットを備えることができる。前記１つ以上の付加的な移動止めは、前記基部に配置されるタブを備えることができる。前記１つ以上の付加的な移動止めは、前記基部に配置されるスロットを備えることができる。
【０００７】
前記密封部材は回転中心の周りを回転することができ、前記１つ以上の付加的な移動止めの少なくとも１つを前記回転中心に近接して設置することができる。前記密封部材は、前記飲用位置に配置されるときに前記基部の表面と実質的に同一の平面上に保持されることができる。前記密封部材は、前記飲用位置に配置されるときに前記基部の表面に対して、２５°以下、２０°以下、１５°以下、１０°以下、及び５°以下からなる群から選択される角度で保持されることができる。
【０００８】
前記第１オリフィスは飲み口に形成されることができる。前記１つ以上の移動止めの少なくとも１つは前記飲み口に形成されることができる。前記密封部材は、前記密封部材が前記密封位置に配置されるときに前記第１オリフィスに挿入するために構成される第１突起を備えることができる。前記第１突起はエラストマーを含むことができる。
【０００９】
前記基部は第２オリフィスを画定することができ、前記密封部材は、前記密封部材が前記密封位置に配置されるときに前記第２オリフィスに押し付けるように構成される第２突起を備えることができる。前記第２突起はエラストマーを含むことができる。前記エラストマーを、シリコーンとすることができる。
【００１０】
前記基部は、ボトルと連結するためのネジ部を備えることができる。前記ネジ部は雌ねじを備えることができる。
【００１１】
前記基部は、ツイストロック溝と着脱可能に嵌合するように構成される１つ以上のタブを備えることができる。
【００１２】
前記蓋は、前記基部とボトルとの間の密封を形成するように構成されるガスケットを備えることができる。前記ガスケットをエラストマーとすることができる。前記エラストマーを、シリコーンとすることができる。
【００１３】
本発明の他の態様は、基部と、前記基部に回転可能に連結する密封部材とを備える蓋を提供する。前記基部は、飲み口と、前記飲み口に形成される第１オリフィスと、第２オリフィスとを備えることができる。前記密封部材は、前記密封部材が密封位置に配置されるときに前記第１オリフィスに挿入するために構成される第１エラスラマー突起と、前記密封部材が前記密封位置に配置されるときに前記第２オリフィスに押し付けるように構成される第２エラスラマー突起とを備えることができる。前記基部及び前記密封部材は、前記密封部材を前記密封位置に着脱可能に保持するように構成される１つ以上の移動止めを備える。前記１つ以上の移動止めは、前記飲み口にスロットを、前記密封部材に第１タブを備える。前記基部及び前記密封部材は、前記密封部材を飲用位置に着脱可能に保持するように構成される１つ以上の付加的な移動止めを含む。前記１つ以上の付加的な移動止めは、前記密封部材に第２タブを、前記基部に第３タブを備える。
【００１４】
本発明のさらに他の態様は、マグと、前記マグと着脱可能に連結するために構成される蓋とを備える容器を提供する。前記蓋は、第１のオリフィスを画定する基部と、前記基部に回転可能に連結する密封部材とを備える。前記密封部材は、密封位置に配置されるときに前記第１オリフィスを密封するように構成される。前記基部及び前記密封部材は、前記密封部材を前記密封位置に着脱可能に保持するように構成される１つ以上の移動止めを備える。
【００１５】
本発明のこの態様は、様々な実施形態を有することができる。前記マグは両面兼用のスリーブを備えることができる。前記マグ及び前記基部はネジ部を備えることができる。前記マグ及び前記基部は、適合するツイストロック形状（geometries）を備えることができる。前記蓋は、前記基部とボトルとの間の密封を形成するように構成されるガスケットをさらに備えることができる。前記ガスケットをエラストマーとすることができる。前記エラストマーをシリコーンとすることができる。
【図面の簡単な説明】
【００１６】
【図１Ａ】密封部材を密封位置に備えた蓋を有する、本発明に係る容器の一実施形態の斜視図である。
【図１Ｂ】密封部材を密封位置に備えた蓋を有する、本発明に係る容器の一実施形態の斜視図である。
【図１Ｃ】本発明に係る容器の一実施形態の部分分解図である。
【図１Ｄ】本発明に係る容器の一実施形態の側面図である。
【図１Ｅ】本発明に係る容器の一実施形態の正面図である。
【図１Ｆ】本発明に係る容器の一実施形態の断面図である。
【図１Ｇ】本発明に係る容器の一実施形態の上面図である。
【図１Ｈ】本発明に係る蓋の一実施形態の密封位置における断面図である。
【図１Ｉ】本発明に係る蓋の一実施形態の飲用位置における断面図である。
【図１Ｊ】本発明に係る容器の一実施形態の分解図である。
【発明を実施するための形態】
【００１７】
本発明の本質及び所望の目的をより完全に理解するために、図面と併用される下記の詳細な説明を参照する。
【００１８】
［定義］
本発明は、下記の定義を参照して、この上なく明確に理解される。
【００１９】
明細書及び特許請求の範囲において、文脈中に明示されていない限り、単数形「一つの（a, an）」及び「前記（the）」は複数の参照を含む。
【００２０】
文脈中で明確に示され又は文脈から明らかでない限り、本明細書において、用語「約」は、当技術分野で通常の許容誤差の範囲内であると理解され、例えば平均値から２標準偏差以内である。「約」は、定められた値の10％、9％、8％、7％、6％、5％、4％、3％、2％、1％、0.5％、0.1％、0.05％又は0.01％以内であると理解することができる。文脈から明らかでない限り、本明細書中に記載される全ての数値は「約」と変更できる。
【００２１】
本明細書及び特許請求の範囲において、用語「備える（comprise, comprising）」、「含む（contain）」、「有する（having）」等は、米国特許法中の当該用語に帰する意味を持つことができ、また「含む（includes, including）」等を意味することができる。
【００２２】
本明細書中に記載される範囲は、当該範囲内の全ての値を指す省略表現であると理解できる。例えば、１〜５０の範囲とは、1, 2, 3, 4, 5, 6, 7, 8, 9, 10, 11, 12, 13, 14, 15, 16, 17, 18, 19, 20, 21, 22, 23, 24, 25, 26, 27, 28, 29, 30, 31, 32, 33, 34, 35, 36, 37, 38, 39, 40, 41, 42, 43, 44, 45, 46, 47, 48, 49又は50（及び文脈で明示しない限りこれらの端数）からなる群の任意の数、数の組み合わせ又は部分的な範囲を含むと理解される。
【００２３】
文脈で明確に示され又は文脈から明らかである限り、本明細書において用語「又は」は両立的（inclusive）であると理解される。
【００２４】
［発明の説明］
本発明の様々な態様は、蓋及び容器を提供する。
【００２５】
図１Ａ及び１Ｂを参照すると、マグ１０２及び蓋１０４を有する容器１００が提示される。
【００２６】
図１Ｃに示すように、蓋１０４は、雄ネジ若しくは雌ネジ、又はツイストロック装置１０６、１０８等の様々な手段を介して、マグ１０２に着脱可能に連結することができる。マグ１０２は、蓋１０４上の適合する（complimentary）ツイストロック・タブ１０８を受け止めるように構成される、複数（例えば２つ、３つ、４つ等）のツイストロック溝１０６を備えることができる。このようなツイストロック装置１０６、１０８は、蓋１０４を３６０°未満（例えば図１Ｃに示す４組のツイストロック装置１０６、１０８を有する実施形態では９０°以下）回転することにより、蓋１０４をマグ１０２へ連結させることを可能とする。蓋１０４は、蓋１０４とマグ１０２との間を確実に液密に密封するために、（シリコーン等の材料から製造されるエラストマーのガスケット等の）ガスケット１１０を備えることができる。
【００２７】
図１Ａ及び１Ｂを再び参照すると、マグ１０２は環状のスリーブ１１２を備えることができる。スリーブ１１２は、いくつかの実施形態では、エラストマーから製造することができ、また使い捨てのコーヒーカップに通常設置されるボール紙製のスリーブに似せることができる。例えば波形のボール紙を装うために、スリーブ１１２は茶色の色素を有することができ、及び／又はスリーブ１１２は一つ以上のリブ１１４を有することができる。いくつかの実施形態では、スリーブ１１２と容器１００の他の部分との間にコントラストを与えるために、マグ１０２及び蓋１０４を白色とすることができ、それによって美的に心地良い容器１００を創り出すことができる。
【００２８】
スリーブ１１２はマグ１０２に（例えば接着材により又は摩擦により）接合させることができ、又はスリーブ１１２を着脱可能にできる。着脱可能なスリーブは、洗浄に有利とすることができ、また様々な色のスリーブと交換可能にできる。
【００２９】
スリーブ１１２は、いくつかの実施形態では、内部表面及び外部表面の両方にデザインを有することができ、それによってユーザは新しいスリーブ１１２を入手する必要無しに容器１００の外観を変化させることができる。例えば、スリーブ１１２の外部表面は上述したようにボール紙の外観を有することができ、また内部表面は冬期休暇をテーマにしたデザインを有することができる。ユーザは所望のデザインを示すために、（特にスリーブがエラストマーから構成されている場合に）簡単にスリーブ１１２を裏返すことができる。
【００３０】
図１Ｂ及び１Ｃから明らかなように、蓋１０４は第１オリフィス１１６及び第２オリフィス１１８を有することができる。いくつかの実施形態では、第１オリフィス１１６は飲料をすするために構成され、第２オリフィス１１８よりも大きい。第２オリフィス１１８は、すすっている間真空状態を破る通風孔とすることができる。第１オリフィス１１６は飲み口１２０に形成することができる。飲み口１２０を、使い捨てコーヒーカップの蓋に上の飲み口に、美的にも機能的にも似せることができる。
【００３１】
蓋１０４は、（図１Ａに示す）密封位置に配置したときに第１オリフィス１１６を（そして第２オリフィス１１８が存在する場合には、第１オリフィス１１６及び第２オリフィス１１８を）密封するように構成される密封部材１２２も備える。密封部材１２２は、（例えば基部のスロット内に収容される円筒状のタブによって）蓋１０４のベース部と回転可能に連結する。
【００３２】
密封部材１２２は、密封部材１２２が密封位置に配置されている時に第１オリフィス１１６を密封するように構成される第１突起１２４を備えることができる。密封は例えば、第１突起１２４を第１オリフィス１１６に押し付けたり、第１突起１２４を第１オリフィス１１６内に挿入したりすることで行うことができる。密封部材はまた、密封部材１２２が密封位置に配置されている時に第２オリフィス１１８を密封するように構成される第２突起１２６を備えることができる。密封は例えば、第２突起１２６を第２オリフィス１１８に押し付けたり、第２突起１２６を第２オリフィス１１８内に挿入したりすることで行うことができる。第１突起１２４及び第２突起１２６は、シリコーン等のエラストマー材を含むことができる。いくつかの実施形態では、図１Ｂに示すように、第１突起１２４及び第２突起１２６は一体的な部分の素材として製造される。
【００３３】
次に図１Ｆを参照すると、容器１００の断面図が示されている。断面図から明らかなように、マグ１０２は、内壁１０２ａ及び外壁１０２ｂが絶縁用の空隙を画定するような二重壁とすることができる。
【００３４】
次に図１Ｈ及び１Ｉを参照すると、蓋１０４は密封部材１２２を密封位置に着脱可能に保持するように構成される１組目の移動止め１２８を備えることができる。図１Ｈ及び１Ｉに示す実施形態では、飲み口１２０に形成された対応するスロット１２８ｂに収容される、密封部材１２２に配置されるタブ１２８ａを備えるが、他の実施形態を採用することもできる。例えば、飲み口１２０のタブを密封部材１２２に形成されるスロットと相互作用させることができる。同様に、密封部材１２２を密封位置に移動させる間、１つ以上のタブ（及び／又は当該１つ以上のタブが形成される構成要素）が一時的に曲がるように、飲み口１２０及び密封部材１２２の両方に当該タブを形成することができる。密封位置に配置されると、当該タブ（及び／又は当該構成要素）は通常の形状に戻り、タブは密封部材１２２を密封位置に保持する。
【００３５】
蓋１０４の密封機能をさらに強化するために、密封部材１２２が密封位置に保持される際に第１突起１２４及び／又は第２突起１２６が圧縮されるように、第１突起１２４及び／又は第２突起１２６を、第１オリフィス１１６及び／又は第２オリフィス１１８よりも大きくすることができる。いくつかの実施形態では、第１突起１２４及び／又は第２突起１２６は、第１オリフィス１１６内及び／又は第２オリフィス１１８内に挿入された後に幅広の部分が広がるような、裾広がりの又はくびれのある（hourglass）形状を有することができる。
【００３６】
図１Ｈ及び１Ｉをさらに参照すると、蓋１０４は、密封部材を飲用位置に着脱可能に保持するように構成される２組目の移動止め１３０を備えることもできる。図１Ｈ及び１Ｉに示す実施形態では、蓋１０４に形成された対応するタブ１３０ｂと相互作用する、密封部材１２２に配置されたタブ１３０ａが設けられているが、他の実施形態を採用することもできる。例えば、密封部材１２２のタブを、蓋に形成されるスロットと相互作用させることができ、逆に蓋のタブを、密封部材１２２に形成されるスロットと相互作用させることができる。図１Ｈ及び１Ｉに示すように、２組目の移動止め１３０を、密封部材１２２の回転中心に近接させることができる。
【００３７】
密封部材１２２が飲用位置に配置されている際に、密封部材１２２を、基部の表面と実質的に同一の平面上に保持することができる。例えば、図１Ｉを参照すると、密封部材１２２の底面１３２は、蓋１０４の表面１３４に対して、約２５度以下、約２０度以下、約１５度以下、約１０度以下、又は約５度以下の角度で飲用位置に保持されることができる。
【００３８】
次に図１Ｊを参照すると、本明細書に記載された発明の一実施形態をさらに視覚化するために、容器１００の分解図を提示する。
【００３９】
［均等物］
本発明の好ましい実施形態を具体的な用語を用いて説明してきたが、このような説明は単に例示を目的とするものであり、下記の特許請求の範囲の精神及び範囲から離れることなく、変更または変形を行うことができると理解される。
【００４０】
［任意の色の使用］
提示した図面は白黒の線画であるが、本明細書が提示する本発明は、美的な外観を向上させるために、様々な色を任意に含むことができる。例えば、ある実施形態では、（PANTONE 7504等の茶色の熱可塑性ゴムとすることができる）エラストマーのスリーブ１１２、（PANTONE 7504等の茶色のシリコーンとすることができる）ガスケット１１０、及び（PANTONE 382等の緑色のシリコーンとすることができる）突起１２４及び／又は１２６を除いて、本発明の全ての構成要素を不透明な白色のプラスチックから製造することができる。
【００４１】
当業者が理解するように、PANTONE 7504及びPANTONE 382はそれぞれ、ＲＧＢ（赤、緑、青）カラーモデルのＲＢＧ値（１５２，１１５，７４）及び（１８１，２２０，１６）に対応する。
【００４２】
［援用］
本明細書で引用した全ての特許、公開された特許出願、及び他の参考文献の全内容を、本明細書に明示的に援用する。
【図１Ａ】
2014500835.tif 000003
【図１Ｂ】
2014500835.tif 000004
【図１Ｃ】
2014500835.tif 000005
【図１Ｄ】
2014500835.tif 000006
【図１Ｅ】
2014500835.tif 000007
【図１Ｆ】
2014500835.tif 000008
【図１Ｇ】
2014500835.tif 000009
【図１Ｈ】
2014500835.tif 000010
【図１Ｉ】
2014500835.tif 000011
【図１Ｊ】
2014500835.tif 000012
【国際調査報告】
2014500835.tif 000013
2014500835.tif 000014
2014500835.tif 000015